(57)【特許請求の範囲】
【請求項１】
固定接触子（４，５）、前記固定接触子（４，５）と接触及び開離する互いに並列に設けられた複数片の可動接触子（１０，１１）、前記複数片の可動接触子（１０，１１）を回転自在に保持する接触子軸（９）、前記接触子軸（９）を保持するとともにそれ自体が回転自在に設けられた接触子ホルダー（８）、前記可動接触子（１０，１１）を前記固定接触子（４，５）と接触する方向に付勢する接圧ばね（１４）及び前記可動接触子（１０，１１）を操作する開閉機構（２０）を有する回路遮断器において、
前記開閉機構（２０）と前記接触子軸（９）を連結する連結部材（１９，２４）を有し、該連結部材（２４）は前記接触子ホルダー（８）を介さずに、前記複数片の可動接触子（１０，１１）を三つの群に分割する位置において前記接触子軸（９）と連結されていることを特徴とする回路遮断器。
【発明の詳細な説明】
【０００１】
【発明の属する技術分野】
本発明は、回路遮断器の開閉機構と可動接触子との連結技術に関する。
【０００２】
【従来の技術】
実開昭６１−７８４４号公報に開示されている従来の回路遮断器の一例が図５ないし図７に示されている。この回路遮断器は、一方の端子を兼ねる固定接触子５１、互いに独立し並列に設けられた３個の可動接触子５２、５２、５２、それぞれの可動接触子５２を回転自在に保持する接触子軸５３、接触子軸５３の両端を保持する対向する接触子ホルダー５４、５４、時計方向すなわち固定接触子５１と接触する方向に可動接触子５２を付勢する接圧ばね５５、接触子ホルダー５４を回転自在に保持するホルダー軸５６、開閉機構５７、対向する接触子ホルダー５４を連結する連結柱５８、連結柱５８と開閉機構５７を連結する連結ロッド５９、他方の端子６０及び端子６０と可動接触子５２とを接続する可撓導体６１を有する。
【０００３】
この従来の回路遮断器は、図５の閉路の状態において、開閉機構５７を操作することによって開路することができる。すなわち、詳細の説明は省略するが開路操作により、開閉機構のクロスバー６２がレバー６３と共に時計方向に回転し、レバー６３に連結されている連結ロッド５９が左下方に移動し、この移動に追随して接触子ホルダー５４がホルダー軸５６の回りを反時計方向に回転して、可動接触子５２が固定接触子５１から開離する。また、開路状態において開閉機構５７を閉路操作することによって閉路することができる。すなわち、開路操作とは逆に、連結ロッド５９が右上方に移動し、接触子ホルダー５４が時計方向に回転して、可動接触子５２が固定接触子５１と接触する。なお、この閉路動作において、可動接触子５２が固定接触子５１と接触した瞬間からさらに接触子ホルダー５４が時計方向にわずかに回転し、相対的に可動接触子５２が反時計方向に回転して接圧ばね５５の作用で強い接触圧力が得られる構造になっている。
【０００４】
【発明が解決しようとする課題】
閉路状態においてこの従来の回路遮断器に短絡電流のような大きな電流が流れた時、固定接触子５１と可動接触子５２との間には大きな電磁反発力が作用する。回路遮断器は開閉機構が動作するまでの間この反発力に耐える必要があり、動作後は可動接触子と固定接触子の開極寸法が大きくなるため発生するアークを短時間で消滅させて小さい損傷で短絡電流を遮断する。従来の回路遮断器において、上述した反発力は、図７に鎖線５３'で示されているように接触子軸５３を下方に湾曲させるように作用する。接触子軸５３が湾曲すると、中央の可動接触子５２が固定接触子５１から開離する方向に変位し接圧ばね５５の作用力が小さくなって、開閉機構が動作する前に可動接触子５２が固定接触子５１から開離する。この結果、互いの開極寸法が小さい固定接触子５１と可動接触子５２との間にアークが発生するため、双方に大きな損傷が発生することとなる。特に、より多くの可動接触子５２が必要である定格電流（定常時の通電容量）の大きい回路遮断器は、接触子ホルダー５４の対向間隔が大きいため接触子軸５３が湾曲しやすい。このような接触子軸の湾曲を防止するためには、接触子軸５３の直径を大きくする必要があり、関連する部品も大きくなるため回路遮断器自体が大形になってしまうという問題があった。
【０００５】
したがって、本発明は、より大きな短絡電流が流れても大きな損傷が生じない小形の回路遮断器を提供することにある。
【０００６】
【課題を解決するための手段】
上記の問題を解決するために、請求項１の発明は、固定接触子、固定接触子と接触及び開離する互いに並列に設けられた複数片の可動接触子、複数片の可動接触子を回転自在に保持する接触子軸、接触子軸を保持するとともにそれ自体が回転自在に設けられた接触子ホルダー、可動接触子を固定接触子と接触する方向に付勢する接圧ばね及び可動接触子を操作する開閉機構を有する回路遮断器において、開閉機構と接触子軸を連結する連結部材を有し、該連結部材は接触子ホルダーを介さずに、複数片の可動接触子を三つの群に分割する位置において接触子軸と連結されていることとしている。このような構成により、連結部材は接触子ホルダーを介さずに、複数片の可動接触子を三つの群に分割するように２点で接触子軸の中間部において直接連結されるとともに開閉機構が動作しない限り変位しない。このため、可動接触子が固定接触子から開離する方向に接触子軸を湾曲させる力が作用しても連結部材によって湾曲が阻止されるとともに、より安定した連結作用を呈する。
【０００８】
【発明の実施の形態】
本発明の実施の形態を、図１ないし図４に示される実施例において説明する。この実施例の回路遮断器は、成型絶縁物製のケース１内に構成されている開閉接触子部材と、ケース１の外に構成されている開閉機構と、ケース１から突き出るように装着されたいずれかが入力側で他方が出力側の端子２及び端子３を有している。
【０００９】
開閉接触子部材は、端子２と一体となっている固定主接触子４、固定主接触子４に着脱自在に設けられた固定アーク接触子５、ケース１に固定されているフレーム６、ホルダー軸７によってフレーム６に回転自在に設けられた成型絶縁物製の接触子ホルダー８、接触子ホルダー８に保持された接触子軸９、接触子軸９上に互いに独立して回転できるように保持された可動主接触子１０及び可動アーク接触子１１、可動アーク接触子１１に着脱自在に設けられた可動アーク接触子片１２、可動主接触子１０及び可動アーク接触子１１のそれぞれと端子３とを接続する可撓導体１３並びに可動主接触子１０及び可動アーク接触子１１を時計方向に付勢する接圧ばね１４を有している。上述した固定主接触子４には接点１５がロー付けされており、それぞれの可動主接触子１０と可動アーク接触子１１には接点１６がロー付けされている。さらに、このケース１には電流を遮断したとき発生するアークを消滅させる着脱自在の消弧装置１７が収納されており、ケース１の上部には着脱自在のカバー１ａが設けられている。なお、図２において可撓導体１３の図示は省略されている。
【００１０】
接触子軸９上には前述した可動主接触子１０が複数（本実施例の場合１３個）設けられており、中央部には一対の可動アーク接触子１１が配置されている。前述した可撓リード１３及び接圧ばね１４は個々の可動主接触子１０及び可動アーク接触子１１に対して独立して設けられており、全ての可動主接触子１０はそれぞれ独立して回転する。また、一対の可動アーク接触子１１は、先端において可動アーク接触子片１２によって連結されているため一体となり可動主接触子１０とは独立して回転する。
【００１１】
開閉機構２０は、本願発明の主要部ではないため詳細な図示及び説明を省略するが、クロスバー２１及びクロスバー２１と共に回転するレバー２２を含み、開閉機構２０と上述した可動接触子部材は連結部材によって連結される。この連結部材は、連結軸２３によってレバー２２と連結される絶縁ロッド１９と、絶縁ロッド１９と一体化され接触子軸９と回転自在に連結される連結リンク２４を有する。リンク２４は断面がコ字状なるように形成されており、その両脚の端部において接触子軸９と連結されている。上述した複数の可動主接触子１０及び可動アーク接触子１１は、連結リンク２４の両脚によって三つの群に分割されて保持されている。（本実施例の場合、両脚の間に５個の可動主接触子１０と２個の可動アーク接触子１１、両脚の外側には左右それぞれ４個の可動主接触子１０が保持されている。）
【００１２】
この実施例の回路遮断器は、図１に示されている閉路状態において、固定アーク接触子５と可動アーク接触子片１２が開離し、固定主接触子４の接点１５と可動主接触子１０及び可動アーク接触子１１の接点１６が接触している。開路操作が行われるとクロスバー２１が反時計方向に回転し、上述した連結部材を介して、接触子軸９、接触子ホルダー８、可動主接触子１０及び可動アーク接触子１１を含む可動接触子部材がホルダー軸７を中心として反時計方向に回転し、両可動接触子１０及び１１がそれぞれ両固定接触子４及び５から開離する。
【００１３】
この開路操作における動作を、図３を参照して説明する。なお、図３では可動主接触子１０の図示が省略されているが、以下の説明において、可動アーク接触子片１２に関する部分を除いて「可動アーク接触子１１」は「可動主接触子１０」をも意味する。接触子ホルダー８の反時計方向の回転により、接触子軸９が左方向へ変位するため可動アーク接触子１１は、接圧ばね１４の作用により接触子ホルダー８上でストッパ２５に接するまで時計方向に回転する。そして、図３（ａ）の閉路状態から、まず図３（ｂ）に示されているごとく、固定アーク接触子５と可動アーク接触子片１２が接触し、続いて図３（ｃ）に示されているごとく、接点１６が接点１５から開離する。さらに、図３（ｄ）に示されているごとく、可動アーク接触子片１２が固定アーク接触子５から開離し、アークが固定アーク接触子５と可動アーク接触子片１２との間において発生する構造となっている。
【００１４】
なお、閉路操作が行われると、開路操作とは逆にクロスバー２１が時計方向に回転して接触子ホルダー８が時計方向に回転し、まず可動アーク接触子片１２が固定アーク接触子５と接触して、続いて接点１６が接点１５と接触したのち可動アーク接触子片１２が固定アーク接触子５から開離する。この閉路動作において、従来の回路遮断器と同様、可動接点１６が固定接点１５と接触した瞬間からさらに接触子ホルダー８が時計方向にわずかに回転し、相対的に両可動接触子１０，１１が反時計方向に回転して接圧ばね１４の作用で強い接触圧力が得られる構造になっている。
【００１５】
この回路遮断器に大きな電流が流れると接点１５と接点１６との間に大きな電磁反発力が作用し、可動主接触子１０及び可動アーク接触子１１が反時計方向に付勢されるが、接圧ばね１４によってその回転が阻止され、図４において、反発力は接触子軸９を下方に湾曲させるように作用する。しかし、リンク２４は開閉機構２０が動作しないかぎり変位しないため、その両脚によって湾曲が阻止される。
【００１６】
上記の実施例では、連結リンク２４はコ字状であって２個所で接触子軸９と連結されているが、一直線状のものであって１個所で連結されても、三叉以上のものであって３個所以上で連結されるものであっても同様の作用効果が得られる。
【００１７】
【発明の効果】
本発明は、以上説明した形態で実施され、開閉機構と可動接触子部材との連結部材を、接触子ホルダーを介さずに、複数片の可動接触子を三つの群に分割するように接触子軸と連結する構成としたため、可動接触子が固定接触子から開離する方向に接触子軸が湾曲する力が作用しても連結部材によって湾曲が阻止される。その結果、大きな短絡電流が流れた場合、開閉機構が動作しないかぎり接点が開離して損傷が生じることのないより小形の回路遮断器を提供することができるという効果を奏する。
【図面の簡単な説明】
【図１】本発明による回路遮断器の実施例の側面断面図である。
【図２】図１の回路遮断器の開閉接触子部分を図１の左方から見た部分断面図である。
【図３】図１の回路遮断器の開閉接触子の開離過程を説明する部分図である。
【図４】図２のＸ−Ｘから見た部分断面図である。
【図５】従来の回路遮断器の側面断面図である。
【図６】図５の回路遮断器の開閉接触子部分を図５の左方から見た部分断面図である。
【図７】図５のＹ−Ｙから見た部分断面図である。
【符号の説明】
１  ケース、１ａ  カバー、２，３  端子、４  固定主接触子、５  固定アーク接触子、６  フレーム、７  ホルダー軸、８  接触子ホルダー、９  接触子軸、１０  可動主接触子、１１  可動アーク接触子、１２  可動アーク接触子片、１３  可撓導体、１４  接圧ばね、１５，１６  接点、１７  消弧装置、１９  絶縁ロッド、２０  開閉機構、２１  クロスバー、２２  レバー、２３  連結軸、２４  連結リンク、２５  ストッパ。
【図１】
0004119650.tif 000002
【図２】
0004119650.tif 000003
【図３】
0004119650.tif 000004
【図４】
0004119650.tif 000005
【図５】
0004119650.tif 000006
【図６】
0004119650.tif 000007
【図７】
0004119650.tif 000008